(57)【特許請求の範囲】
【請求項１】
スロットマシンからのコインの投入枚数を示す信号と、コインの払い出し枚数を示す信号と、前記スロットマシンのコイン払出機の動作時間を示す信号とに基づいて、前記スロットマシンのボーナス中に前記コイン払出機が動作した２回目以降において、前記コイン払出機の動作時間の積算値と、コインの払い出し枚数の積算値と、コインの投入枚数の積算値とを求める手段と、前記コイン払出機の動作時間の積算値÷（前記コインの払い出し枚数の積算値−前記コインの投入枚数の積算値）によりコイン１枚の払い出しに要する前記コイン払出機の動作時間を求める手段とを備えたスロットマシンのセキュリティ装置。
【請求項２】
前記コインの投入枚数を示す信号が２つ連続する間に前記コイン払出機の動作時間を示す信号が２回以上出力されたときには、そのときの前記コイン払出機の動作時間の積算と、前記コインの払い出し枚数の積算と、前記コインの投入枚数の積算とを行わないようにする手段を備えたことを特徴とする請求項１に記載のスロットマシンのセキュリティ装置。
【請求項３】
前記求められたコイン１枚の払い出しに要する前記コイン払出機の動作時間が設定値を超えるときに前記コイン払出機の異常を判定する手段を備えたことを特徴とする請求項１又は２に記載のスロットマシンのセキュリティ装置。
【発明の詳細な説明】
【０００１】
【発明の属する技術分野】
本発明は、スロットマシンのセキュリティ装置に関する。
【０００２】
【従来の技術】
パチンコ店には、パチンコ機の他、パチスロ機と称されるスロットマシン（回胴式遊技機）が複数台設置されている。スロットマシンにおいては、コインの払い出しをホッパー（コイン払出機）により行っているが、ホッパーの動作不良あるいは不正行為によって、払い出すコインの枚数より多い枚数のコインがホッパーから払い出されてしまうことがある。
【０００３】
そこで、ホッパーを駆動するホッパーモータに電流センサ（又は磁界センサ）を設け、電流センサ（又は磁界センサ）によってホッパー動作時間を検出し、コイン１枚の払い出しに要するホッパー動作時間が通常８０ミリ秒前後であることから、ホッパー動作時間をもとにホッパーの払い出し枚数を検出して、セキュリティを行う装置が実用化されている。
【０００４】
【発明が解決しようとする課題】
上記したホッパー動作時間は、通常８０ミリ秒前後であるが、スロットマシン毎にホッパーが異なるため、ホッパー動作時間の平均値もスロットマシン毎に異なる。このため、精度よくホッパーの払い出し枚数を検出するためには、スロットマシン毎にコイン１枚の払い出しに要するホッパー動作時間を求めることが必要である。
【０００５】
本発明は、スロットマシン毎にコイン１枚の払い出しに要するコイン払出機の動作時間を求めることを目的とする。
【０００６】
【課題を解決するための手段】
上記目的を達成するため、請求項１に記載の発明では、スロットマシンからのコインの投入枚数を示す信号と、コインの払い出し枚数を示す信号と、前記スロットマシンのコイン払出機の動作時間を示す信号とに基づいて、前記スロットマシンのボーナス中に前記コイン払出機が動作した２回目以降において、前記コイン払出機の動作時間の積算値と、コインの払い出し枚数の積算値と、コインの投入枚数の積算値とを求める手段と、前記コイン払出機の動作時間の積算値÷（前記コインの払い出し枚数の積算値−前記コインの投入枚数の積算値）によりコイン１枚の払い出しに要する前記コイン払出機の動作時間を求める手段とを備えたことを特徴としている。
【０００７】
ボーナス中においては、クレジットの最大枚数を超える払い出しがあるため、コイン払出機から払い出されたコインの枚数は、（コインの払い出し枚数の積算値−前記コインの投入枚数の積算値）から求められる。従って、コイン払出機の動作時間の積算値を（コインの払い出し枚数の積算値−前記コインの投入枚数の積算値）で除算することにより、コイン１枚の払い出しに要するコイン払出機の動作時間を求めることができる。
【０００９】
クレジットの最大枚数を超えた後にコイン払出機から最初にコインが払い出しされる場合、その払出枚数は不明である。従って、ボーナス中にコイン払出機が動作した２回目以降において上記の積算を行うことによって、コイン１枚の払い出しに要するコイン払出機の動作時間を求める場合の精度を高めることができる。
【００１０】
請求項２に記載の発明では、前記コインの投入枚数を示す信号が２つ連続する間に前記コイン払出機の動作時間を示す信号が２回以上出力されたときには、そのときの前記コイン払出機の動作時間の積算と、前記コインの払い出し枚数の積算と、前記コインの投入枚数の積算とを行わないようにする手段を備えたことを特徴としている。
【００１１】
コインの投入枚数を示す信号が２つ連続する間にコイン払出機の動作時間を示す信号が２回以上出力されたときは、コイン払出機内のコインが空である可能性が高く、コイン払出機の動作時間を示す信号が実際のものと異なっている。従って、そのときのコイン払出機の動作時間の積算と、コインの払い出し枚数の積算と、コインの投入枚数の積算とを行わないようにすることによって、コイン１枚の払い出しに要するコイン払出機の動作時間を求める場合の精度を高めることができる。
【００１２】
請求項３に記載の発明では、前記求められたコイン１枚の払い出しに要する前記コイン払出機の動作時間が設定値を超えるときに前記コイン払出機の異常を判定する手段を備えたことを特徴としている。
【００１３】
この異常判定により、スロットマシンの検査等を行うことができ、異常に対する対策を施すことができる。
【００１４】
【発明の実施の形態】
図１に、本発明の一実施形態にかかるスロットマシン（以下、パチスロ機という）のセキュリティ装置の全体構成を示す。
【００１５】
パチンコ店には、パチスロ機１０が複数台設置されている。各パチスロ機１０には、内部にコイン払出機としてのホッパー１１が設けられており、このホッパー１１からコインが払い出される。また、各パチスロ機１０からは、コインの投入枚数を示すＩＮ信号、コインの払い出し枚数を示すＯＵＴ信号、ビッグボーナス（以下、ＢＩＧという）を示す信号、ＢＩＧ中のレギュラーボーナス（以下、ＲＥＧという）を示す信号などが出力される。また、ホッパー１１を駆動するホッパーモータ１２に電流センサ１３が設けられており、この電流センサ１３からホッパーモータ１２に流れる電流に応じた信号（ホッパー１１の動作状態を示す信号）が出力される。
【００１６】
各パチスロ機１０からの上記した信号は、ホールコンピュータ（管理コンピュータ）２０に送出される。
【００１７】
ホールコンピュータ２０は、各パチスロ機１０からの信号により種々のデータ処理を行うとともに、ホッパーの動作不良あるいは不正行為などの異常を検出する処理を行う。このような異常検出処理を行うにあたっては、ホッパー１１の動作状態および１枚当たりのホッパー動作時間を知る必要がある。このため、ホールコンピュータ２０は、図２、図３に示す処理を実行する。
【００１８】
この図２、図３に示す処理は、複数のパチスロ機１０のうちＢＩＧを示す信号が出力されたパチスロ機毎に行われる。
【００１９】
まず、ＢＩＧが終了したか否かを判定する（ステップ１０１）。この判定は、ＢＩＧを示す信号を出力していたパチスロ機からＢＩＧを示す信号が出力されなくなったか否かにより行われる。
【００２０】
ＢＩＧが終了していないときは、ＲＥＧ状態を判別する（ステップ１０２）。ＢＩＧを示す信号を出力しているパチスロ機からＲＥＧを示す信号が出力されているときは、ＲＥＧ中であるとする。
【００２１】
ここで、ＲＥＧ中においては、通常８回の当たりが発生する可能性があり、１回の当たりで１５枚のコインの払い出しが行われる。この場合、払い出されるコインは、クレジットに貯められる。クレジットは最大５０枚である。そして、ＲＥＧ中においてクレジットが５０枚を超えると、ホッパー１１によりコインの払い出しが行われる。
【００２２】
図４に、ＲＥＧ中において、ホッパー１１によりコインの払い出しを行っている状態を示す。ＲＥＧ中においては、クレジットからコインを１枚投入し、当たりが出れば１５枚の払い出しが生じる。クレジットが５０枚を超えた後、当たりが続けば、５０枚を超えた分すなわちＯＵＴ枚数（１５枚）からＩＮ枚数（１枚）を引いた１４枚がホッパー１１から当たり毎に払い出される。但し、当たりが出ない場合もあり、その場合には、次の当たりにおいて、ＯＵＴ枚数（１５枚）からＩＮ枚数（当たらなかったときの投入枚数＋１枚）を引いた枚数がホッパー１１から払い出される。なお、クレジットが５０枚を超えた最初の１回については、ホッパー１１から払い出されるコインの枚数は不明である。
【００２３】
従って、ホッパー１１が動作した２回目以降において、ホッパー動作時間（秒）の積算値÷（ＯＵＴ枚数の積算値−ＩＮ枚数の積算値）からコイン１枚の払い出しに要するホッパー動作時間（秒／枚）を求めることができる。なお、ホッパー１１にコインがなくなったときは、図４に示すようにホッパー１１が動作し続け、その後、ホッパー１１にコインが補充されると、コインの払い出し動作が行われる。このようにＩＮ信号とＩＮ信号の間にホッパー１１が２回以上動作したとき、すなわちホッパー動作が２回以上あるときは、ホッパー動作時間の積算値に狂いが生じるため、そのときのホッパー動作時間は累積しないようにする。
【００２４】
上記のことをもとに、図２に示す処理では、ＲＥＧ中であると判定したとき、ホッパー動作がないか又は初回のホッパー動作であるか否かを判定する（ステップ１０３）。また、２回目以後のホッパー動作のとき、ＩＮ信号とＩＮ信号の間にホッパー動作が２回以上あったか否かを判定する（ステップ１０４）。そのいずれかの場合には、上記した積算を行わないようにする。
【００２５】
２回目以後のホッパー動作であってＩＮ信号とＩＮ信号の間にホッパー動作が２回以上ないときには、１回のＲＥＧ中におけるＩＮ枚数、ＯＵＴ枚数およびホッパー動作時間（以下、ホッパー秒という）をそれぞれ積算する（ステップ１０５）。
【００２６】
上記した処理をＲＥＧ中繰り返し、その後、ＲＥＧを示す信号が出力されなくなると、ＲＥＧ終了とし、次にホッパー秒が０か否かを判定する（ステップ１０６）。ホッパ秒が０であるということは、ＲＥＧ中の当たりが少なくホッパー１１から払い出しがない場合、又はホッパーモータ１２の異常、あるいは電流センサ１３の異常などが考えられる。この場合、ホッパー未検出として記録しておく（ステップ１０７）。
【００２７】
ホッパー秒が０でないときは、今回のＲＥＧ中に積算したＩＮ枚数、ＯＵＴ枚数およびホッパー秒をＢＩＧ中ＩＮ枚数、ＢＩＧ中ＯＵＴ枚数およびＢＩＧ中ホッパー秒にそれぞれ積算する（ステップ１０８）。
【００２８】
なお、１回のＢＩＧ中に２〜３回のＲＥＧがあるため、その後のＲＥＧに対しても上記と同様の処理を行う。従って、ＢＩＧ中の各ＲＥＧにおいて積算したＩＮ枚数、ＯＵＴ枚数およびホッパー秒は、それぞれＢＩＧ中ＩＮ枚数、ＢＩＧ中ＯＵＴ枚数およびＢＩＧ中ホッパー秒に積算される。
【００２９】
その後、ＢＩＧを示す信号が出力されなくなり、ステップ１０１でＢＩＧが終了したと判定すると、図３に示す処理に移行し、ＢＩＧホッパー秒が０か否かを判定する（ステップ１０９）。ＢＩＧホッパー秒が０であると、ホッパー未検出として記録しておく（ステップ１１０）。
【００３０】
ＢＩＧホッパー秒が０でなければ、１枚当たりのＢＩＧホッパー秒を計算する（ステップ１１１）。この場合、１枚当たりのＢＩＧホッパー秒は、ＢＩＧ中ホッパー秒÷（ＢＩＧ中ＯＵＴ枚数−ＢＩＧ中ＩＮ枚数）で算出される。
【００３１】
次に、この１枚当たりのＢＩＧホッパー秒を設定値と比較する（ステップ１１２）。例えば、ホッパー秒の平均が８０ミリ秒のパチスロ機においては、例えば１００ミリ秒を設定値とし、１枚当たりのＢＩＧホッパー秒が設定値より大きいときに、ホッパー不良（ホッパー異常）とする（ステップ１１３）。この場合、ホッパー不良として記録しておくことの他、ホッパー不良の警告を行うようにすれば、その時点で、そのパチスロ機の検査等を行うようにすることができる。なお、上記した設定値は、後述する処理にて求められた１枚当たりのホッパー秒に基づいて自動的に設定されるか、又は外部からの入力によって設定される。
【００３２】
また、１枚当たりのＢＩＧホッパー秒が設定値より小さい場合には、ＢＩＧ中ＩＮ枚数、ＢＩＧ中ＯＵＴ枚数およびＢＩＧ中ホッパー秒を、それぞれ累積ＩＮ枚数、累積ＯＵＴ枚数および累積ホッパー秒に積算する（ステップ１１４）。上記したＢＩＧ中ＩＮ枚数、ＢＩＧ中ＯＵＴ枚数およびＢＩＧ中ホッパー秒は、１回のＢＩＧ中の積算値であり、１日の営業中には何回かＢＩＧが発生する。従って、各ＢＩＧ毎に得られたＢＩＧ中ＩＮ枚数、ＢＩＧ中ＯＵＴ枚数およびＢＩＧ中ホッパー秒を、それぞれ累積ＩＮ枚数、累積ＯＵＴ枚数および累積ホッパー秒に積算しておけば、営業終了後に、１枚当たりのホッパー秒を、累積ホッパー秒÷（累積ＯＵＴ枚数−累積ＩＮ枚数）で算出することができる。
【００３３】
そして、各パチスロ機毎に１枚当たりのホッパー秒を算出することによって、各パチスロ機毎に平均のホッパー秒を得るとともに、それらの比較等によって異常なパチスロ機があるか否かの判断を行うことができる。
【００３４】
上記した実施形態では、各パチスロ機１０からホールコンピュータ２０に信号を直接送るものを示したが、図１に示すように、各パチスロ機毎に設置されたコンピュータ３０を介してホールコンピュータ２０に信号を送るようにしてもよい。また、コンピュータ３０にて上記したホッパー秒数の算出等の処理を行うようにしてもよい。
【００３５】
また、上述した実施形態では、ホッパー秒の算出をＢＩＧ終了後に行うものを示したが、ＲＥＧ終了後に行うようにしてもよい。但し、ＢＩＧ終了後の方が積算値が大きいので、ホッパー秒数を精度よく算出することができる。
【００３６】
また、ホッパーを駆動するホッパーモータの動作状態を検出する動作状態検出手段としては、電流センサ以外に磁界センサ（磁気センサ）を用いるようにしてもよい。
【００３７】
なお、図２に示す各ステップでの処理は、それぞれの機能を実現する手段として把握できるものであり、コンピュータによるソフトウェア以外にハードロジック構成によって実現することもできる。
【図面の簡単な説明】
【図１】本発明の一実施形態にかかるパチスロ機のセキュリティ装置の全体構成を示す図である。
【図２】図１中のホールコンピュータ２０における処理を示すフローチャートである。
【図３】図２に続く処理を示すフローチャートである。
【図４】作動説明に供するタイミングチャートである。
【符号の説明】
１０…パチスロ機、１１…ホッパー、１２…ホッパーモータ、
１３…電流センサ、２０…ホールコンピュータ。
【図１】
0004441986.tif 000002
【図２】
0004441986.tif 000003
【図３】
0004441986.tif 000004
【図４】
0004441986.tif 000005